【事件の表示】
　特許第３０５５６５０号「パンツ型使い捨ておむつ」の請求項１ないし４に係る特許に対する特許異議の申立てについて、次のとおり決定する。
【結　論】
　訂正を認める。
　特許第３０５５６５０号の請求項１ないし３に係る特許を取り消す。
【理　由】
Ｉ．手続の経緯
　
　特許第３０５５６５０号の請求項１ないし３に係る発明についての手続の経緯は、およそ次のとおりである。
（１）特許出願　平成７年１月３１日（優先権主張平成６年１０月１４日）
（２）特許権の設定の登録　平成１２年４月１４日
（３）特許掲載公報の発行　平成１２年６月２６日
（４）土山健二より特許異議の申立て及び証拠調申請書の提出　平成１２年１２月２６日
（５）田中正子より特許異議の申立て　平成１２年１２月２６日
（６）特許の取消理由の通知の発送　平成１３年５月８日
（７）特許権者より特許異議意見書の提出及び訂正請求（指定期間内）　平成１３年７月２日
　
ＩＩ．訂正の適否について
　
１．訂正の内容
　前記Ｉ．（７）の訂正請求は、次のア〜オのとおり、明細書の記載を訂正することを求めるものである。
　ア　特許異議の申立てがされている請求項１〜４について、訂正前の特許請求の範囲の請求項１〜４の記載、すなわち、
「【請求項１】液透過性のトップシートと、液不透過性のバックシートと、これら両シート間に配置される吸収体とを有する吸収性本体を備え、該吸収性本体における着用者の腹側に位置する腹側部及び背側に位置する背側部それぞれの両側縁部の接合固定により、ウエスト開口部及び一対のレッグ開口部が形成され、使用後に該両側縁部の接合部が引き剥がされて廃棄されるパンツ型使い捨ておむつにおいて、
　上記トップシート及び／又は上記バックシートは、おむつの縦方向における強力が１５００ｇｆ／５０ｍｍ以上であり、
　接合固定される上記腹側部及び上記背側部の両側縁部は、少なくとも上記トップシート及び／又は上記バックシートを含む２枚のシートからなり、該両側縁部の接合強度は１０００ｇｆ／３０ｍｍ以上であることを特徴とするパンツ型使い捨ておむつ。
　【請求項２】上記両側縁部の接合強度は３０００ｇｆ／３０ｍｍ以下であることを特徴とする請求項１記載のパンツ型使い捨ておむつ。
　【請求項３】上記ウエスト開口部及び一対の上記レッグ開口部には、それぞれその周縁部全周に亘って実質的に連続したギャザーを形成する弾性部材が設けられていることを特徴とする請求項１又は２記載のパンツ型使い捨ておむつ。
　【請求項４】上記ウエスト開口部と一対の上記レッグ開口部との間に存し上記吸収体の配置されている胴周囲部には、その全周に亘って実質的に連続したギャザーを形成する複数の弾性部材が設けられていることを特徴とする請求項１又は２記載のパンツ型使い捨ておむつ。」
を、訂正明細書の特許請求の範囲の記載、すなわち、
「【請求項１】液透過性のトップシートと、液不透過性のバックシートと、これら両シート間に配置される吸収体とを有する吸収性本体を備え、該吸収性本体における着用者の腹側に位置する腹側部及び背側に位置する背側部それぞれの両側縁部の接合固定により、ウエスト開口部及び一対のレッグ開口部が形成され、使用後に該両側縁部の接合部が引き剥がされて廃棄されるパンツ型使い捨ておむつにおいて、
　上記トップシート及び／又は上記バックシートは、おむつの縦方向における強力が１５００ｇｆ／５０ｍｍ以上であり、
　接合固定される上記腹側部及び上記背側部の両側縁部は、少なくとも上記トップシート及び／又は上記バックシートを含む２枚のシートからなり、該両側縁部の接合強度〔この接合強度は、上記接合部を、その長さ方向に対する直交方向に３０ｍｍの幅の複数の細片に切断し、これらの細片を、それぞれ引っ張り速度３００ｍｍ／ｍｉｎ、１８０度の剥離角度で引っ張る方法により測定される最大（極限）の力をいう〕は１０００〜３０００ｇｆ／３０ｍｍであることを特徴とするパンツ型使い捨ておむつ。
　【請求項２】上記ウエスト開口部及び一対の上記レッグ開口部には、それぞれその周縁部全周に亘って実質的に連続したギャザーを形成する弾性部材が設けられていることを特徴とする請求項１記載のパンツ型使い捨ておむつ。
　【請求項３】上記ウエスト開口部と一対の上記レッグ開口部との間に存し上記吸収体の配置されている胴周囲部には、その全周に亘って実質的に連続したギャザーを形成する複数の弾性部材が設けられていることを特徴とする請求項１記載のパンツ型使い捨ておむつ。」
に訂正する。
　イ　発明の詳細な説明の段落【０００８】中の記載について、訂正前の「該両側縁部の接合強度」を、訂正明細書の「該両側縁部の接合強度〔この接合強度は、上記接合部を、その長さ方向に対する直交方向に３０ｍｍの幅の複数の細片に切断し、これらの細片を、それぞれ引っ張り速度３００ｍｍ／ｍｉｎ、１８０度の剥離角度で引っ張る方法により測定される最大（極限）の力をいう〕」に訂正する。
　ウ　発明の詳細な説明の段落【００２６】中の記載について、訂正前の
「そして、上記の各々のパートについての接合強度〔接合部８を、その長さ方向に対して３０ｍｍの幅に切断してサンプルを作成し、得られたサンプルを引っ張り速度３００ｍｍ／ｍｉｎ の条件で図５に示す矢印方向、即ち１８０度剥離する方向に引っ張った際の最大（極限）の力〕は、それぞれ１０００ｇｆ／３０ｍｍ以上、好ましくは１０００〜３０００ｇｆ／３０ｍｍ、更に好ましくは１５００〜２０００ｇｆ／３０ｍｍである。本実施例では上記の３つのパートとも平均値で約１８００ｇｆ／３０ｍｍである。
　即ち、本発明においては、上記接合部８を形成する上記両側縁部の接合強度は１０００ｇｆ／３０ｍｍ以上である。
　上記の各パートの接合強度が、３０００ｇｆ／３０ｍｍを超えると、接合部８を実質的に剥がす（引き裂く）ことが困難であり、１０００ｇｆ／３０ｍｍ未満であると、装着時に剥がれて（裂けて）しまう可能性が高くなるので、上記範囲内とするのが好ましい。」を、訂正明細書の
「そして、上記の各々のパートについての接合強度〔接合部８を、その長さ方向に対して３０ｍｍの幅に切断してサンプルを作成し、得られたサンプルを引っ張り速度３００ｍｍ／ｍｉｎ の条件で図５に示す矢印方向、即ち１８０度剥離する方向に引っ張った際の最大（極限）の力〕は、それぞれ１０００〜３０００ｇｆ／３０ｍｍ、好ましくは１５００〜２０００ｇｆ／３０ｍｍである。本実施例では上記の３つのパートとも平均値で約１８００ｇｆ／３０ｍｍである。
　即ち、本発明においては、上記接合部８を形成する上記両側縁部の接合強度は１０００〜３０００ｇｆ／３０ｍｍ以上である。
　上記の各パートの接合強度が、３０００ｇｆ／３０ｍｍを超えると、接合部８を実質的に剥がす（引き裂く）ことが困難であり、１０００ｇｆ／３０ｍｍ未満であると、装着時に剥がれて（裂けて）しまう。」
に訂正する。
　エ　発明の詳細な説明の段落【００２８】末尾の記載について、訂正前の「また、この際の上記の接合固定された接合部８の接合強度は、１０００ｇｆ／３０ｍｍ以上である。」を、訂正明細書の「また、この際の上記の接合固定された接合部８の接合強度は、１０００〜３０００ｇｆ／３０ｍｍである。」に訂正する。
　
２．訂正の目的の適否、新規事項の追加の有無及び特許請求の範囲の拡張・変更の存否
　アの訂正は、訂正前の請求項１〜４の記載において、その請求項１を削除し、残る請求項２〜４を順次繰り上げて新請求項１〜３とし、これに対応してこの新請求項２〜３が引用する請求項を新請求項１のみとし、併せて、新請求項１の記載において、両側縁部の接合強度について定義を加えたものに相当するから、特許請求の範囲の減縮及び明りょうでない記載の釈明を目的とするものに該当する。
　イ〜エの訂正は、アの訂正に整合させて、対応する発明の詳細な説明に所要の訂正を行うものであるから、明りょうでない記載の釈明を目的とするものに該当する。
　そして、これらの訂正は、いずれも願書に添付された明細書又は図面に記載された事項の範囲内においてされたものであり、また、訂正前の請求項１〜４に記載された事項により特定される発明の具体的な目的の範囲を逸脱してその技術的事項を変更するもの等に該当しないから、当該訂正は、特許請求の範囲を実質上拡張するものでも変更するものでもない。
　
３．むすび
　以上のとおりであるから、ア〜エの訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第第１項ただし書、第２項及び第３項の規定に適合するので、当該訂正を認める。
　
ＩＩＩ．特許異議の申立てについて
　
１．本件発明
　本件特許の請求項１ないし３に係る発明（以下「第１発明ないし第３発明」という。）は、前記ＩＩ．１．アに摘記した訂正明細書の特許請求の範囲の請求項１ないし３に記載された事項により特定されるとおりのものであるところ、その請求項１を再掲すれば次のとおりである。
　「【請求項１】液透過性のトップシートと、液不透過性のバックシートと、これら両シート間に配置される吸収体とを有する吸収性本体を備え、該吸収性本体における着用者の腹側に位置する腹側部及び背側に位置する背側部それぞれの両側縁部の接合固定により、ウエスト開口部及び一対のレッグ開口部が形成され、使用後に該両側縁部の接合部が引き剥がされて廃棄されるパンツ型使い捨ておむつにおいて、
　上記トップシート及び／又は上記バックシートは、おむつの縦方向における強力が１５００ｇｆ／５０ｍｍ以上であり、
　接合固定される上記腹側部及び上記背側部の両側縁部は、少なくとも上記トップシート及び／又は上記バックシートを含む２枚のシートからなり、該両側縁部の接合強度〔この接合強度は、上記接合部を、その長さ方向に対する直交方向に３０ｍｍの幅の複数の細片に切断し、これらの細片を、それぞれ引っ張り速度３００ｍｍ／ｍｉｎ、１８０度の剥離角度で引っ張る方法により測定される最大（極限）の力をいう。〕は１０００〜３０００ｇｆ／３０ｍｍであることを特徴とするパンツ型使い捨ておむつ。」
　
２．特許異議の申立ての理由の概要
　
（１）特許異議申立人土山健二は、後記の甲第１号証ないし甲第６号証、「参考説明図」及び検甲第１号証を提出し、次の（サ）ないし（ス）の理由により、訂正前の請求項１ないし４に係る特許は取り消されるべきものであると主張し、検甲第１号証について証拠調を申請している。なお、特許異議申立書の証拠方法欄において、甲第４号証の２を「実開平４−４４９２０号公報」としているのは、添付書類から見て、同号公開実用新案公報に係る実用新案登録出願の願書に添付した明細書及び図面の内容を撮影したマイクロフィルムを意味するものと解されるので、甲第４号証の２を後記のとおりのものと認める。
　（サ）訂正前の請求項１ないし４に係る発明は、甲第６号証を参照すれば、甲第１号証ないし甲第３号証の各刊行物に記載された発明に基づいて、本件出願前に当業者が容易に発明をすることができたものといえるから、特許法第２９条第２項の規定により特許を受けることができないものである。
　（シ）訂正前の請求項１ないし４に係る発明は、甲第４号証の２の刊行物及び提出した「参考説明図」を参照すれば、出願公開がされた甲第４号証の１の特許出願の願書に最初に添付された明細書又は図面に記載された発明といえるから、特許法第２９条の２の規定により特許を受けることができないものである。
　（ス）訂正前の請求項１ないし４に係る発明は、甲第５号証の１及び甲第５号証の２を参照すれば、検甲第１号証の「ムーニーマンおんなの子用ビッグサイズ」現品により公然知られ又は公然実施をされた発明といえるから、特許法第２９条第１項第１号又は第２号に該当し、特許を受けることができないものである。
【証拠方法】
　甲第１号証：特表平６−５００１５３号公報
　甲第２号証：特開平５−２３９７５４号公報（以下「刊行物２」という。）
　甲第３号証：特開平５−３１７３５６号公報
　甲第４号証の１：特願平５−１６９２０２号の明細書及び図面（特開平７−７５６５３号公報参照）
　甲第４号証の２：実願平２−１１１７２９号（実開平４−４４９２０号）のマイクロフィルム
　甲第５号証の１：１９９４年２月現在のユニ・チャーム総合カタログ
　甲第５号証の２：ダイオーペーパーコンバーティング株式会社消費開発部所属近藤耕司作成の実験成績証明書
　甲第６号証：旭化成工業株式会社作成のダイオー・ペーパーコンバーティング株式会社向け「材料仕様書」
　検甲第１号証：ユニ・チャーム株式会社が本件特許出願前に市販していたパンツ型使い捨て紙おむつとして「ムーニーマンおんなの子用ビッグサイズ」現品
　
（２）特許異議申立人田中正子は、後記の甲第１号証ないし甲第４号証を提出し、次の（セ）の理由により、訂正前の請求項１ないし４に係る特許は取り消されるべきものであると主張している。
　（セ）訂正前の請求項１ないし４に係る発明は、甲第１号証ないし甲第４号証の各刊行物に記載された発明に基づいて、本件出願前に当業者が容易に発明をすることができたものであるから、特許法第２９条第２項の規定により、特許を受けることができないものである。
【証拠方法】
　甲第１号証：特開昭５３−１９２４６号公報（以下「刊行物１」という。）
　甲第２号証：特開昭６１−２０７６０５号公報（以下「刊行物４」という。）
　甲第３号証：特開平６−１８１９４９号公報（以下「刊行物３」という。）
　甲第４号証：特開平５−３１７３５６号公報（以下「刊行物５」という。）
　
３．当審の取消理由において引用した刊行物とその記載内容
　
　当審では、前記Ｉ．（６）の特許の取消理由において、前記の刊行物１〜５及び職権探知による刊行物６を引用した。
（１）刊行物１（特開昭５３−１９２４６号公報）の記載内容
（１−１）刊行物１には、次のａ〜ｆの事項が図面（第１〜１７図）とともに記載されている（ａにおいては便宜上段落を設けた。）。
　ａ　「乳児の排泄訓練または失禁状態の子供や大人に使用するのに適した伸縮性不織布から構成された多層構造の単一の使い捨て下ばきであって：
　前部および後部と、この前部と後部をつなげる股の部分とからなり；
　前身の両脇外周部は後身の対応する脇外周部と接合されていて、自然フイツトするウエスト部と自然フイツトする脚開口部とを形成しており；
　該下ばきは着用者の皮膚に触れるのに適合する伸縮性布はくの透水性内層と、水不透過性の伸縮性外層と、これらの間にはさみこまれた中間の液体吸収体とを有し；
　該下ばきの破断時伸びは前部と後部のたて中心線の方向に少なくとも約８０％で、このたて中心線と実質的に垂直の方向に少なくも約４０％である
　上記使い捨て下ばき。」《特許請求の範囲欄第１２項》
　ｂ　「近年、使い捨ておむつは、いったん汚れたら洗濯しなければならない布製おむつとは異なるその簡便さが主にうけて、市場にも大いに出回ってきている。しかし、おむつから普通の再使用できる下ばき（パンツ）への移行期間中に使用しうるような使い捨てのトレーニングパンツはなお要望されている。この種の下ばき製品は、その吸収性、フイツトすること、使い捨て可能であることのために、失禁状態の大人や子供にも有用であろう。」《３頁左下欄下から５行〜右下欄５行》
　ｃ　「本発明の使い捨て下ばきは、排泄訓練期間中にトレーニングパンツとして使用するのに特によく適したものである。この下ばきは伸縮性不織布１枚またはこれを２枚以上重ねたものから構成される。《中略》下ばきの内層すなわち前面層には、着用者の皮膚との接触用の柔かい表面を有する最も内側の１枚の層が設けられ、排泄された体液はこれを容易に通過していくことができ、所望により体液の吸収体も設けることができる。一方、下ばきの外層、すなわち裏面層は、効果的な液体バリアーとなり、体液のしみ通りを防ぐか、または実質的に最小限にする少なくとも１枚の層が設けられている。」《４頁左下欄１０行〜右下欄７行》
　ｄ　「次に、第１図と第２図の好ましい具体例を参照すると、ベビー用トレーニングパンツ1は、前部2、後部3、股部4、前ウエストバンド区域5と後ウエストバンド区域6（両者は一体になって自然フイツトするウエストバンドを形成する）、脇とじ目7と8，ならびに自然フイツトする脚穴9と10を有する多層構造体である。脇とじ7と8はそれぞれ接着剤線11と18のような接合線によって固着されている。」《６頁右上欄下から７行〜左下欄２行》
　ｅ　「脇のとじ目7と8はいくつかの方法で形成しうる。好ましい構成を第８図に示す。それぞれブランク12と112のたて方向の脇外周部28と130を突き合せにつなげる。そうすれば、ブランク12の外周部32は突き合せに接触している外周部28と130の片面側に重なり、外周部126は同じ突き合せ外周部の反対側の面に重なりあって、脇とじ目7（第２図）を形成し、これはその後、追加の接着剤線80と86によってシールされる。同様にパンツの反対側の脇のとじ目8も、《中略》によって形成される。このような脇とじの構成は３層分の厚みのみの脇とじを与える。」《９頁左上欄１２行〜右上欄８行》
　ｆ　「布はくと接着剤との接合は布はく自体より弱いので、第８図に図示したような上述の好ましい脇とじの構成により、パンツが汚れたときにパンツをとじ目のところで引き裂いて簡単に脱がすことが可能である。」《９頁右上欄末行〜左下欄４行》
（１−２）前記ａ中段にいう「伸縮性布はく」や前記ｆにいう「布はく」とは、前記ｃの記載から見て、前記ａ冒頭にいう「伸縮性不織布」を意味するものと解され、また、「着用者の皮膚に触れるのに適合する伸縮性布はくの透水性内層と、水不透過性の伸縮性外層と、これらの間にはさみこまれた中間の液体吸収体」とは、使い捨て下ばきの吸収性本体を構成し、さらに前記ｆにいう「布はくと接着剤との接合は布はく自体より弱い」とは、技術常識を勘案すると、「脇とじ目の接合強度が布はく（つまり伸縮性不織布）の引張強度よりも小さいこと」を意味するものと解されるから、前記ａ〜ｆの記載を図面の記載を参照しつつ総合すると、刊行物１には、次の発明（以下「引用発明」という。）が記載されていると認められる（便宜上段落を設けた。）。
　【引用発明】「着用者の皮膚に触れるのに適合する透水性内層を構成する伸縮性不織布と、水不透過性外層を構成する伸縮性不織布と、これらの間にはさみこまれる中間の液体吸収体とを有する吸収性本体を備え、
　前部及び後部と、この前部と後部とをつなげる股の部分とからなり、前身の両脇外周部は後身の対応する脇外周部と接合されて脇とじ目を形成するとともに、自然フイツトするウエスト部と自然フイツトする脚開口部とを形成しており、
　汚れたときにその脇とじ目のところで引き裂いて簡単に脱がすことができる、乳児の排泄訓練または失禁状態の子供や大人に使用するのに適する、伸縮性不織布から構成された多層構造の単一の使い捨てトレーニングパンツにおいて、
　脇とじ目の接合強度は、前記透水性内層又は水不透過性外層を構成する伸縮性不織布の引張強度よりも小さく、
　脇とじ目は、前記透水性内層を構成する伸縮性不織布及び前記水不透過性外層を構成する伸縮性不織布を含み、
　該使い捨てトレーニングパンツの破断時伸びが前部と後部のたて中心線の方向に少なくとも約８０％で、このたて中心線と実質的に垂直の方向に少なくも約４０％である
　使い捨てトレーニングパンツ。」
　
（２）刊行物２（特開平５−２３９７５４号公報）の特許請求の範囲欄、段落【０００１】、【０００２】、【００１９】、実施例、比較例、表１等の記載を総合すると、同刊行物には、次のｇの事項が記載されていると認められる。
　ｇ　「使い捨ておむつの身体に接触する側の表面材に用いる不織布として、縦方向（つまりＭＤ方向）及び横方向（つまりＣＤ方向）の引張強力の平均値である引張強度が４．２〜５．４ｋｇ／５ｃｍ（すなわち４２００〜５４００ｇｆ／５０ｍｍ）の不織布を使用すること」
　
（３）刊行物３（特開平６−１８１９４９号公報）の特許請求の範囲欄、段落【０００１】〜【０００６】、【００１６】、実施例、比較例、表１等の記載を総合すると、同刊行物には、次のｈの事項が記載されていると認められる。
　ｈ　「使い捨ておむつの身体に接触しない側の表面材に用いる多孔性フィルムとして、引張強度が縦（つまりＭＤ方向）１．５〜１２ｋｇ／２５ｍｍ（すなわち３０００〜２４０００ｇｆ／５０ｍｍ）、横（つまりＣＤ方向）０．５〜１０ｋｇ／２５ｍｍ（すなわち１０００〜２００００ｇｆ／５０ｍｍ）の多孔性フィルムを使用すること」
　
（４）刊行物４（特開昭６１−２０７６０５号公報）の特許請求の範囲欄第１〜１１項、４頁左下欄２〜１８行、５頁右上欄６〜１６行、５頁左下欄７行〜右下欄４行、７頁左上欄１０行〜左下欄５行、８頁左上欄４行〜右上欄５行、８頁右下欄下から３行〜９頁左上欄２行、９頁右上欄４〜１０行、９頁右下欄４〜１１行、図面（第１〜１２図）等の記載を総合すると、同刊行物には、次のｉ〜ｊの事項が記載されていると認められる。
　ｉ　「前板及び後板の側縁部分の一部を互いに接合した側部シームを具備し、使用後に、この側部シームを手で引き剥がして廃棄するタイプの使い捨てパンツにおいて、パンツの形態保持及び側部シームの引き剥がしの容易達成のために、側部シームの接合強度を約２０００グラム／インチ（すなわち約２４００ｇｆ／３０ｍｍ）とすること」
　ｊ　「前記接合強度は、インストロン張力テスタ（すなわちインストロン型引張試験機）のような適当な器具で測定した値であること」
　
（５）刊行物５（特開平５−３１７３５６号公報）の特許請求の範囲欄、段落【０００１】、【００１１】、【００１７】、図面（図１〜８）等の記載を総合すると、同刊行物には、次のｋ〜ｌの事項が記載されていると認められる。
　ｋ　「前後見頃の胴回りの対向側部を互いに重ね合せ、前後身頃の一方の胴回り対向側部に外側へ延出するように設けた各締結片の基端部を前後見頃の胴回りの対向側部にそれぞれ重ね合せ、これら重ね合せ部を一体に接合し、これら接合部よりも内側であってこれら接合部にそれぞれ近接する前記前身頃の部位にはこれら接合部に沿って前身頃を後身頃から切り離すための切断線を設けてあり、使用後に、この前身頃に設けた切断線からその対向側部を後見頃のそれから切り離して廃棄するタイプの使い捨てオムツにおいて、着用時や前記切り離し時に前後身頃どうしの接合部が剥がれないようにするため、前後身頃どうしの接合部の接合強度（剥離強度）を１０００ｇ／インチ（すなわち約１２００ｇｆ／３０ｍｍ）以上とすること」
　ｌ　「前記接合強度（剥離強度）は、接合部を、その長さ方向に対する直交方向に１インチの幅の細片に切断し、この細片を、引っ張り速度１００ｍｍ／ｍｉｎ、１８０度の剥離角度で引っ張る方法により測定される最大（極限）の力をいうこと」
　
（６）刊行物６（特開平４−１６６１５０号公報）の特許請求の範囲欄、５頁左上欄１１行〜右上欄４行、５頁右上欄下から４行〜左下欄１行、図面（第１〜７図）等の記載を総合すると、同刊行物には、次のｍ〜ｎの事項が記載されていると認められる。
　ｍ　「パンツ型使い捨ておむつにおいて、ウエスト開口部及び一対のレッグ開口部には、それぞれその周縁部全周に亘って実質的に連続したギャザーを形成する弾性部材を設けること」
　ｎ　「パンツ型使い捨ておむつにおいて、ウエスト開口部と一対のレッグ開口部との間に存し吸収体の配置されている胴周囲部には、その全周に亘って実質的に連続したギャザーを形成する複数の弾性部材を設けること」
　
４.  対比・判断
　
（１）第１発明について
（１−１）第１発明と引用発明とを対比すると、
引用発明の
「着用者の皮膚に触れるのに適合する透水性内層を構成する伸縮性不織布」、「水不透過性外層を構成する伸縮性不織布」、「これらの間にはさみこまれる中間の液体吸収体」、「前部及び後部と、この前部と後部とをつなげる股の部分とからなり、前身の両脇外周部は後身の対応する脇外周部と接合されて脇とじ目を形成するとともに、自然フイツトするウエスト部と自然フイツトする脚開口部とを形成しており」、「汚れたときにその脇とじ目のところで引き裂いて簡単に脱がすことができる、乳児の排泄訓練または失禁状態の子供や大人に使用するのに適する」、「伸縮性不織布から構成された多層構造の単一の使い捨てトレーニングパンツ」、「脇とじ目」、「引張強度」、「前記透水性内層を構成する伸縮性不織布及び前記水不透過性外層を構成する伸縮性不織布を含み」は、順に、
第１発明の
「液透過性のトップシート」、「液不透過性のバックシート」、「これら両シート間に配置される吸収体」、「該吸収性本体における着用者の腹側に位置する腹側部及び背側に位置する背側部それぞれの両側縁部の接合固定により、ウエスト開口部及び一対のレッグ開口部が形成され」、「使用後に該両側縁部の接合部が引き剥がされて廃棄される」、「パンツ型使い捨ておむつ」、「両側縁部の接合部」又は「接合固定される上記腹側部及び上記背側部の両側縁部」、「強力」、「少なくとも上記トップシート及び／又は上記バックシートを含む２枚のシートからなり」に相当し、また、第１発明では、パンツ型使い捨ておむつの両側縁部の接合強度とトップシート及び／又はバックシートのおむつの縦方向における強力との大小関係は問わないし、パンツ型使い捨ておむつの破断時伸び率は任意であるから、両者は、次の一致点（便宜上段落を設けた。）で一致し、相違点カでのみ相違する。
　【一致点】「液透過性のトップシートと、液不透過性のバックシートと、これら両シート間に配置される吸収体とを有する吸収性本体を備え、
　該吸収性本体における着用者の腹側に位置する腹側部及び背側に位置する背側部それぞれの両側縁部の接合固定により、ウエスト開口部及び一対のレッグ開口部が形成され、
　使用後に該両側縁部の接合部が引き剥がされて廃棄されるパンツ型使い捨ておむつにおいて、
　接合固定される上記腹側部及び上記背側部の両側縁部は、少なくとも上記トップシート及び／又は上記バックシートを含む２枚のシートからなる
　パンツ型使い捨ておむつ。」
　【相違点カ】第１発明では、「上記トップシート及び／又は上記バックシートは、おむつの縦方向における強力が１５００ｇｆ／５０ｍｍ以上であり、該両側縁部の接合強度〔この接合強度は、上記接合部を、その長さ方向に対する直交方向に３０ｍｍの幅の複数の細片に切断し、これらの細片を、それぞれ引っ張り速度３００ｍｍ／ｍｉｎ、１８０度の剥離角度で引っ張る方法により測定される最大（極限）の力をいう〕は１０００〜３０００ｇｆ／３０ｍｍである」と規定するのに対し、引用発明では、前記強力及び前記接合強度の数値に言及しない点。
（１−２）この相違点カについて検討する。
（トップシート、バックシートのおむつの縦方向における強力の数値限定について）
　（i）刊行物２の前記ｇの記載から、使い捨ておむつの身体に接触する側の表面材つまりトップシートに用いる不織布として、ＭＤ方向及びＣＤ方向の引張強力の平均値である引張強度が４２００〜５４００ｇｆ／５０ｍｍの不織布が知られ、（ii）通常、この不織布のＭＤ方向の引張強度は平均値であるこの値より高めであり、ＣＤ方向の引張強度は平均値であるこの値より低めであると推定される上、この不織布はＭＤ、ＣＤいずれの方向をも使い捨ておむつの縦方向とすることが適宜できるものであり、しかも、（iii）この使い捨ておむつのトップシート用の不織布を、使い捨ておむつの一態様である引用発明のパンツ型使い捨ておむつに適用することを妨げる特段の事情もないから、引用発明のパンツ型使い捨ておむつにおいて、「上記トップシートは、おむつの縦方向における強力が１５００ｇｆ／５０ｍｍ以上であり」と規定することは、刊行物２の記載から当業者が容易に想到しうることである。
　また、（iv）刊行物３の前記ｈの記載から、使い捨ておむつの身体に接触しない側の表面材つまりバックシートに用いる多孔性フィルムとして、引張強度が、ＭＤ方向で３０００〜２４０００ｇｆ／５０ｍｍ、ＣＤ方向で１０００〜２００００ｇｆ／５０ｍｍの多孔性フィルムが知られ、（v）この多孔性フィルムはＭＤ、ＣＤいずれの方向をも使い捨ておむつの縦方向とすることが適宜できるものであり、しかも、（vi）この使い捨ておむつのバックシート用の多孔性フィルムを、使い捨ておむつの一態様である引用発明のパンツ型使い捨ておむつに適用することを妨げる特段の事情もないから、引用発明のパンツ型使い捨ておむつにおいて、「上記バックシートは、おむつの縦方向における強力が１５００ｇｆ／５０ｍｍ以上であり」と規定することは、刊行物３の記載から当業者が容易に想到しうることである。
　さらに、「上記トップシート又は上記バックシートは、おむつの縦方向における強力が１５００ｇｆ／５０ｍｍ以上であり」と規定することが、前説示のように刊行物２〜３の記載から当業者の容易に想到しうることである以上、引用発明のパンツ型使い捨ておむつにおいて、「上記トップシート及び上記バックシートは、おむつの縦方向における強力が１５００ｇｆ／５０ｍｍ以上であり」と規定することも、これら刊行物の記載から当業者が容易に想到しうることである。
　そして、第１発明が、「上記トップシート及び／又は上記バックシートは、おむつの縦方向における強力が１５００ｇｆ／５０ｍｍ以上であり」と規定することによって、当業者の予期しない格別の作用効果を奏するものともいえない。トップシート及び／又はバックシートのおむつの縦方向における強力が一定の値以上ならば、パンツ型使い捨ておむつの使用後の引き剥がし操作時に、接合部の側部に存在するトップシートやバックシートを構成する材料が横方向へ裂けにくくなるのは当然のことにすぎない。
（両側縁部の接合強度の数値限定について）
　（vii）刊行物４の前記ｉの記載から、使用後に側部シームつまり両側縁部の接合部を引き剥がして廃棄するタイプの使い捨てパンツつまりパンツ型使い捨ておむつにおいて、両側縁部の接合部の引き剥がしの容易達成のために、該接合部の接合強度を約２４００ｇｆ／３０ｍｍとすることが知られ、他方、（viii）刊行物５の前記ｋの記載から、使用後に、前身頃に設けた切断線からその対向側部を後見頃のそれから切り離して廃棄するタイプの使い捨てオムツつまりパンツ型使い捨ておむつにおいて、着用時に前後身頃どうしの接合部つまり両側縁部の接合部が剥がれないようにするため、両側縁部の接合部の接合強度を約１２００ｇｆ／３０ｍｍ以上とすることが知られるから、引用発明のパンツ型使い捨ておむつにおいて、「該両側縁部の接合強度は１０００〜３０００ｇｆ／３０ｍｍである」と規定することは、刊行物４〜５の記載から当業者が容易に想到しうることである。
　そして、第１発明が、「該両側縁部の接合強度は１０００〜３０００ｇｆ／３０ｍｍである」と規定することによって、当業者の予期しない格別の作用効果を奏するものともいえない。両側縁部の接合強度が一定の範囲内にあれば、パンツ型使い捨ておむつの着用中には接合部が剥がれにくく、使用後の脱衣時には接合部が縦方向に引き剥がし易くなるのは当然のことにすぎない。
　ところで、第１発明では、両側縁部の接合強度をその測定法により定義している。しかし、当該測定法は、刊行物４の前記ｊや刊行物５の前記ｌに記載されている両側縁部の接合強度の測定法と実質上差異はなく、しかも、特許権者は、前記ＩＩ．１の訂正により、請求項１の記載において、接合強度の測定法を加えるのみで、それがこれら刊行物記載の測定法と異なるとの主張もしていないから、第１発明でことさら当該定義をしたこと自体には格別の意義がないものと認められる。したがって、当該定義によっては、第１発明にいう両側縁部の接合強度と刊行物４〜５記載のそれとを区別することはできない。
（トップシート、バックシートのおむつの縦方向の強力の数値限定と両側縁部の接合強度の数値限定との組み合せについて）
　前記Ｉ．（７）の特許異議意見書１５〜１６頁の記載によれば、第１発明は、トップシート、バックシートのおむつの縦方向の強力の数値と両側縁部の接合強度の数値との大小関係に特徴を有するものでなく、これらの数値は個々に独立していて、これらを組み合わせた点に特徴を有するものであるという。それならなおのこと、引用発明のパンツ型使い捨ておむつにおいて、刊行物２〜５によって知られるトップシート、バックシートのおむつの縦方向の強力や両側縁部の接合強度のそれぞれの数値を当てはめることは、当業者にとって容易になしうることであるというほかない。そして、これらの数値を組み合わせた点にも格別の意義がない。
（１−３）したがって、第１発明は、刊行物１〜５に記載された発明に基づいて本件出願前に当業者が容易に発明をすることができたものである。
　
（２）第２発明について
　第２発明は、第１発明において、「上記ウエスト開口部及び一対の上記レッグ開口部には、それぞれその周縁部全周に亘って実質的に連続したギャザーを形成する弾性部材が設けられていること」を規定するものであるが、この点は前記ｍのように刊行物６に記載されており、これを第１発明に加えることに何らの困難性もなく、しかも、これによって当業者の予期しない格別の作用効果を奏するものでもないから、第２発明も、刊行物１〜６に記載された発明に基づいて本件出願前に当業者が容易に発明をすることができたものである。
　
（３）第３発明について
　第３発明は、第１発明において、「上記ウエスト開口部と一対の上記レッグ開口部との間に存し上記吸収体の配置されている胴周囲部には、その全周に亘って実質的に連続したギャザーを形成する複数の弾性部材が設けられていること」を規定するものであるが、この点は前記ｎのように刊行物６に記載されており、これを第１発明に加えることに何らの困難性もなく、しかも、これによって当業者の予期しない格別の作用効果を奏するものでもないから、第３発明も、刊行物１〜６に記載された発明に基づいて本件出願前に当業者が容易に発明をすることができたものである。
　
ＩＶ．特許権者の主張に対して
　
　特許権者は、前記Ｉ．（７）の特許異議意見書１６頁において、（i）パンツ型使い捨ておむつの着用中に接合部が剥がれない程度に十分に高い接合強度を確保しつつ、（ii）同おむつを脱ぐときには接合部を縦方向に引き剥がし易くし、しかも、（iii）同おむつの引き剥がし操作時に、接合部の側部に存する材料を横方向へ裂けにくくするという各解決課題が刊行物１〜６に示されていないと主張している。
　しかし、前記（i）は刊行物５の前記ｋの記載から知られ、前記（ii）は刊行物４の前記ｉの記載のほかに刊行物１の前記ｆの記載からも知られ、前記（iii）は、引き剥がし型のパンツ型使い捨ておむつを製作、試用する当業者にとって当然の課題であると考えられる（引き剥がし操作時に接合部側部の構成材料が裂けたり千切れたりするようでは具合が悪いことは自明である。）うえ、仮に、この（iii）の課題が刊行物１〜６の記載から知られなくても、前説示のように、第１発明ないし第３発明は、これらの刊行物に記載された発明に基づいて本件出願前に当業者が容易に発明をすることができたものであるといえるから、前記主張は失当である。
　
Ｖ．むすび
　
　以上のとおりであるから、請求項１ないし３に係る発明は、本件出願前に国内において頒布された刊行物１〜６に記載された発明に基づいて、本件出願前に当業者が容易に発明をすることができたものであって、特許法第２９条第２項の規定ににより特許を受けることができないものである。
　したがって、請求項１ないし３に係る特許は、拒絶の査定をしなければならない特許出願に対してされたものであると認められる。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年９月１９日（２００１．９．１９）
【訂正の要旨】
訂正の要旨
　特許請求の範囲の訂正前の請求項１に対し、下記（イ）の点を限定する共に、下記（ロ）の点を明りょうにすること。
　（イ）接合強度の上限を３０００ｇｆ／３０ｍｍに限定する（訂正前の請求項２の要件）。
　（ロ）接合強度の測定方法を明りょうにする。
（５４）【発明の名称】
パンツ型使い捨ておむつ
（５７）【特許請求の範囲】
　【請求項１】　液透過性のトップシートと、液不透過性のバックシートと、これら両シート間に配置される吸収体とを有する吸収性本体を備え、該吸収性本体における着用者の腹側に位置する腹側部及び背側に位置する背側部それぞれの両側縁部の接合固定により、ウエスト開口部及び一対のレッグ開口部が形成され、使用後に該両側縁部の接合部が引き剥がされて廃棄されるパンツ型使い捨ておむつにおいて、
　上記トップシート及び／又は上記バックシートは、おむつの縦方向における強力が１５００ｇｆ／５０ｍｍ以上であり、
　接合固定される上記腹側部及び上記背側部の両側縁部は、少なくとも上記トップシート及び／又は上記バックシートを含む２枚のシートからなり、該両側縁部の接合強度
〔この接合強度は、上記接合部を、その長さ方向に対する直交方向に３０ｍｍの幅の複数の細片に切断し、これらの細片を、それぞれ引っ張り速度３００ｍｍ／ｍｉｎ、１８０度の剥離角度で引っ張る方法により測定される最大（極限）の力をいう〕
〜３０００
ｍで
　【請求項
２
１記
　【請求項
３
１記
【発明の詳細な説明】
　【０００１】
　【産業上の利用分野】
　本発明は、前見頃と後ろ見頃とを接合してなるパンツ型使い捨ておむつに関する。
　【０００２】
　【従来の技術及び発明が解決しようとする課題】
　近年、歩けるようになった赤ちゃんを中心としてパンツタイプのオムツの需要が高まっている。
　この要因としては、従来からあるフラットタイプのオムツでは装着がしにくいという問題がある一方、パンツタイプのオムツでは赤ちゃんを立ち上がらせた状態で、引き上げてはかせることができ、赤ちゃんに装着する母親の使い勝手が格段に向上したためであると考えられる。
　【０００３】
　しかし、このパンツタイプのオムツは、使い勝手において排便時の廃棄がしにくいという欠点がある。
　即ち、フラットタイプのおむつでは、使用後のそのテープを外すことにより排便時においても簡単に脱着が可能である。一方、パンツタイプのオムツでは、前見頃と後ろ見頃との接合部を引き剥がす（引き裂く）必要がある（もちろん足を抜かせ脱がせることも可能ではあるが、赤ちゃんの肌に便が付着する恐れがある）が、この部分には力が集中しやすいため、装着状態では接合部は強固に接合されていることが望ましく、従来のパンツタイプのおむつでは上記接合部の強度が高過ぎて、該接合部を引き裂くためにはかなりの力を要する（問題１）。
　しかも、引き裂き時におむつの幅方向におむつの構成素材が裂け、実質的に引き裂くことが出来なかったり、或いは、弾性体のような他の材料が残り、無理に引き裂こうとすると伸びきった弾性体（帯状ゴム等）が母親の手に当たり、引き裂きの動作を妨害したりする（問題２）。
　【０００４】
　そこで、これらの問題を解決するために接合部のシールパターンを特定のパターンとしたおむつが実開平６−３１７２１号公報に提案されているが、このおむつでは、前述の問題１は解決できるものの、上記問題２は解決できず、更には、シールパターンが複雑になり、工程の管理が煩雑になる。また、接合部の接合強度を特定の範囲とし、上記問題１を解決することも提案されているが、該提案も、上記問題２を解決できるものではなかった。
　【０００５】
　また広い意味での引き裂き易さを向上させるために接着部分の脇にミシン目を設けることが実開平１−１４１７１１号公報に提案されている。この提案によれば、引き裂き易さは確かに向上するが、装着中に上記ミシン目でおむつが破れてしまい、おむつが剥がれてしまうことがある。
　【０００６】
　即ち、上記問題１及び２を共に解決する技術は、未だ提案されておらず、そのような技術が要望されているのが現状である。
　【０００７】
　従って、本発明の目的は、パンツ型使い捨ておむつにおける接合部の引き剥がし（引き裂き）易さを向上せしめ、使い勝手をさらに向上させたパンツ型使い捨ておむつを提供することにある。
　【０００８】
　【課題を解決するための手段】
　本発明は、液透過性のトップシートと、液不透過性のバックシートと、これら両シート間に配置される吸収体とを有する吸収性本体を備え、該吸収性本体における着用者の腹側に位置する腹側部及び背側に位置する背側部それぞれの両側縁部の接合固定により、ウエスト開口部及び一対のレッグ開口部が形成され、使用後に該両側縁部の接合部が引き剥がされて廃棄されるパンツ型使い捨ておむつにおいて、上記トップシート及び／又は上記バックシートは、おむつの縦方向における強力が１５００ｇｆ／５０ｍｍ以上であり、接合固定される上記腹側部及び上記背側部の両側縁部は、少なくとも上記トップシート及び／又は上記バックシートを含む２枚のシートからなり、該両側縁部の接合強度
〔この接合強度は、上記接合部を、その長さ方向に対する直交方向に３０ｍｍの幅の複数の細片に切断し、これらの細片を、それぞれ引っ張り速度３００ｍｍ／ｍｉｎ、１８０度の剥離角度で引っ張る方法により測定される最大（極限）の力をいう〕
〜３０００
ｍで
　【０００９】
　【００１０】
　【作用】
　本発明によるパンツ型使い捨ておむつによれば、吸収製本体の両側縁部を接合固定して形成される接合部を構成するシートのうち、少なくとも１枚のシートは、おむつの縦方向の対する強力が強く、通常のおむつの引き裂き操作ではおむつの幅方向に裂けることがないため、接合部のおむつの縦方向に対する引き剥がし（引き裂き）を容易に行うことができる。
　【００１１】
　【実施例】
　以下、添付図面を参照して、本発明の実施例を詳述する。
　先ず、添付図面の図１〜５を参照し、第１発明の実施例を詳細に説明する。
　ここで、図１は、第１発明のパンツ型使い捨ておむつの実施例を示す斜視図であり、図２は、図１に示すパンツ型使い捨ておむつの展開図であり、図３は、図２に示す展開したパンツ型使い捨ておむつの分解斜視図である。
　また、図４は、図１に示すおむつの接合部を示す拡大斜視図であり、図５は、接合部の強力の測定方法の概略を示す概略図である。
　【００１２】
　図１〜図３に示す本実施例のパンツ型使い捨ておむつ１は、液透過性のトップシート２と、液不透過性のバックシート３と、これら両シート間に配置される吸収体４とを有する吸収性本体５を備え、該吸収性本体５における着用者の腹側に位置する腹側部６及び背側に位置する背側部７それぞれの両側縁部の接合固定により、ウエスト開口部１０及び一対のレッグ開口部２０が形成されている。
　【００１３】
　更に詳述すると、上記パンツ型使い捨ておむつ１においては、腹側部６の側縁部６ａと背側部７の側縁部７ａ及び腹側部６の側縁部６ｂと背側部７の側縁部７ｂが、それぞれ接合固定されて接合部８が形成されている。
　また、上記ウエスト開口部１０及び一対の上記レッグ開口部２０には、それぞれその周縁部全周に亘って実質的に連続したギャザーを形成する弾性部材１１，２１が設けられており、更に、上記ウエスト開口部１０と一対の上記レッグ開口部２０との間に存し上記吸収体４の配置されている胴周囲部３０には、その全周に亘って実質的に連続したギャザーを形成する複数の弾性部材３１が設けられている。
　また、上記腹側部６及び上記背側部７の上記両側縁部は、それぞれ上記トップシート２及び上記バックシート３並びに上記各弾性部材１１，２１，３１により形成されており、上記接合固定は、上記両側縁部における上記トップシート２同士が当接するようにしてなされている。
　【００１４】
　上記ウエスト開口部１０に設けられている上記弾性部材１１は、腹側部６と背側部７とにそれぞれ３本づつ等間隔に設けられており、上記接合固定により連結されて、上記ウエスト開口部１０の全周に亘って実質的に連続したギャザーを形成するようになされている。
　上記弾性部材１１としては、通常使い捨ておむつに用いられる弾性部材であれば特に制限なく用いることができるが、上記弾性部材１１は、天然ゴム、合成ゴム、発泡ポリウレタンなどからなる糸状体又は帯状体として上記トップシート２と上記バックシート３とに連続的に接合されている。尚、本実施例においては、帯状体が用いられている。また、その伸長率は、８０％〜１４０％の範囲とするのが好ましい。尚、本発明において、上記「伸長率」は、伸長率１００％を、例えば長さ１０ｃｍのものを２０ｃｍに伸長すること、即ち２倍の長さに伸長することとして定義したものである。
　【００１５】
　また、上記レッグ開口部２０に設けられている上記弾性部材２１は、腹側部６と背側部７とにそれぞれ２本づつ、等間隔に且つおむつの股下部において吸収体４を横断するようにして設けられており、上記接合固定により連結されて、上記レッグ開口部２０の全周に亘って実質的に連続したギャザーを形成するようになされている。
　上記弾性部材２１としては、通常使い捨ておむつに用いられる弾性部材であれば特に制限なく用いることができるが、天然ゴム、合成ゴム、発泡ポリウレタンなどからなる糸状体又は帯状体としてトップシート２とバックシート３とに連続的に接合されている。尚、本実施例においては、糸状体が用いられている。また、その伸長率は、６０％〜１００％の範囲とするのが好ましい。
　【００１６】
　また、上記胴周囲部３０に設けられている上記弾性部材３１は、腹側部６と背側部７とにそれぞれ４本づつ、上記ウエスト開口部１０に近づく程各弾性部材３１の間隔が狭くなるように設けられており、上記接合固定により連結されて、上記胴周囲部３０の全周に亘って実質的に連続したギャザーを形成するようになされている。
　上記弾性部材３１としては、通常使い捨ておむつに用いられる弾性部材であれば特に制限なく用いることができるが、その形状は糸状であるのが好ましい。また、その伸長率は、８０％〜１２０％の範囲とするのが好ましい。
　また、上記伸長率は、上記ウエスト開口部１０に近づく程各弾性部材３１の伸長率が高くなるようになされているのが好ましい。上記伸長率の変化率は、４０％とするのが好ましい。
　【００１７】
　また、本実施例のパンツ型使い捨ておむつ１には、図１及び図２に示すように、上記胴周囲部３０の下部に位置し且つ着用者の排尿部近傍に位置する、排尿ポイント部４０に、おむつの幅方向に向けて連続したギャザーを形成する弾性部材４１が、４本それぞれ等間隔で設けられている。
　ここで、上記「排尿部近傍」とは、着用者がおむつを着用した際に排尿部自体及びその周辺に位置する部分を意味し、具体的には、一対の上記レッグ開口部２０の間に位置する、腹側部６の股下領域を意味する。
　【００１８】
　また、上記トップシート２、上記バックシート３及び上記吸収体４は、それぞれ、中央が括れた砂時計状に形成されており、これらを形成する材料としては、下記するものを用いることができる。
　【００１９】
　上記トップシート２の材料としては、排泄物を吸収体４へ透過させる液透過性シートで肌着に近い感触を有したものが好ましく、このような液透過性シートとしては、例えば、織布、不織布、多孔性フィルム等が好ましく挙げられる。また、上記トップシート２には、その周縁部にシリコン系油剤、パラフィンワックス等の疎水性化合物を塗布する方法や、あらかじめアルキルリン酸エステルのような親水性化合物を全面に塗布し、次いでその周縁を温水で洗浄する方法により撥水処理を施し、周縁部における尿等のにじみによるモレを防止することができる。
　本実施例では、上記トップシート２として不織布を用い、その強力は、おむつの縦方向（ＭＤ）が約３５００ｇｆ／５０ｍｍ、おむつの幅方向（ＴＤ）が約１５００ｇｆ／５０ｍｍである。即ち、本実施例のトップシート２は、長尺シートの不織布の長手方向（ＴＤ）がおむつの幅方向に配され、その幅方向（ＭＤ）がおむつの縦方向に配されている。
　【００２０】
　上記バックシート３の材料としては、熱可塑性樹脂にフィラーを加えて延伸した液不透過性かつ蒸気を透過させる蒸気透過性のシートが用いられ、肌着に近い感触を有したもの、たとえば、フィルムと不織布との複合材、あるいはフィルムと織布との複合材料等が用いられる。
　本実施例では、フィルムと不織布との複合材を用い、その強力は、おむつの縦方向（ＭＤ）が約３０００ｇｆ／５０ｍｍ、おむつの幅方向（ＴＤ）が約６００ｇｆ／５０ｍｍである。即ち、本実施例のバックシート３は、長尺シートの不織布の長手方向（ＴＤ）がおむつの幅方向に配され、その幅方向（ＭＤ）がおむつの縦方向に配されている。
　尚、上記強力は、ＪＩＳ　Ｌ１０９６　６．１２に準じ、チャック間距離を１５０ｍｍとして、測定した時の最大値である。
　【００２１】
　上記吸収体４の材料としては、解繊パルプを主材とし、高分子吸水ポリマーを併用したものが好ましく、その他熱可塑性樹脂、セルロース繊維、あるいは高分子吸水ポリマーの混合物に熱処理したものが好ましい。高分子吸水ポリマーの存在位置は、上層、中層、下層のいずれであってもよく、パルプと混合したものであっても良い。高分子吸水ポリマーは自重の２０倍以上の液体を吸収して保持する性能を有し、ゲル化する性質を有する粒子状のものが好ましく、このような高分子吸水ポリマーとしては、デンプン−アクリル酸（塩）グラフト共重合体のケン化物、ナトリウムカルボキシメチルセルロースの架橋物、アクリル酸（塩）重合体等が好ましい。
　【００２２】
　また、上記吸収体４における長手方向の長さＬ１は好ましくは３００ｍｍ〜６００ｍｍ、本実施例では約４３０ｍｍ、くびれた部分の幅Ｌ２は好ましくは８０ｍｍ〜１１０ｍｍ、本実施例では約１００ｍｍに形成されている。また、吸収体４の腹側、背側における幅Ｌ３は、好ましくは１２０ｍｍ〜３５０ｍｍ、本実施例では、約２００ｍｍ、吸収体４から延出するサイドフラップの幅Ｌ４は好ましくは、１０ｍｍ〜１５０ｍｍ、本実施例では約９０ｍｍである。
　【００２３】
　また、図２に示すように、上記背側部７には、廃棄処理用のファスニングテープ６０が設けられており、該ファスニングテープ６０によりおむつの廃棄時に衛生的に廃棄することができる。
　【００２４】
　上記接合部８を形成する際における、接合方法としては超音波シール、ヒートシール、高周波シールなど既知の接合方法を用いることができ、本実施例では、ヒートシールにより接合した。
　【００２５】
　而して、本実施例のパンツ型使い捨ておむつ１は、上記トップシート２及び／又は上記バックシート３は、おむつの縦方向における強力が１５００ｇｆ／５０ｍｍ以上、好ましくは２０００ｇｆ／５０ｍｍ〜４５００ｇｆ／５０ｍｍの範囲である。尚、本実施例においては、上述の如く、上記トップシートのおむつの縦方向における上記強力が３５００ｇｆ／５０ｍｍであり、上記バックシートのおむつの縦方向における上記強力が３０００ｇｆ／５０ｍｍである。
　上記強力が、１５００ｇｆ／５０ｍｍ未満であると、おむつの廃棄時に上記接合部８をおむつの縦方向に引き剥がす（引き裂く）際に、おむつの幅方向に裂け目が入ってしまい引き裂くのが困難になる。
　尚、上記強力は、ＪＩＳ　Ｌ１０９６　６．１２に準じ、チャック間距離を１５０ｍｍとして、測定した時の最大値である。
　【００２６】
　また、上記接合部８は、その部分に入っているギャザーにより大きく３つのパート、即ち、図４に示すように、ウエストギャザーパート８ａ、胴周囲パート８ｂ、レッグギャザーパート８ｃに分けられ、同一条件で接合しても、この３つのパートによりそれぞれの接合強度が異なる可能性がある。
　そして、上記の各々のパートについての接合強度〔接合部８を、その長さ方向に対して３０ｍｍの幅に切断してサンプルを作成し、得られたサンプルを引っ張り速度３００ｍｍ／ｍｉｎの条件で図５に示す矢印方向、即ち１８０度剥離する方向に引っ張った際の最大（極限）の力〕は、それぞ
れ１
、好
　即ち、本発明においては、上記接合部８を形成する上記両側縁部の接合強度は１０００
〜３０００
ｍで
　上記の各パートの接合強度が、３０００ｇｆ／３０ｍｍを超えると、接合部８を実質的に剥がす（引き裂く）ことが困難であり、１０００ｇｆ／３０ｍｍ未満であると、装着時に剥がれて（裂けて）しま
う。
　【００２７】
　本実施例のパンツ型使い捨ておむつは、上述の如き構成を採用しているので、上記接合部８が使用時にはほつれて裂けることがなく、おむつの廃棄時に接合部８を引き剥がす（引き裂く）際に、引き裂き易いものである。また、このときにおむつの幅方向（引き裂き方向と９０度方向）におむつの構成素材が裂けることのないものである。
　【００２８】
　尚、上記の第１発明の実施例では、上記トップシート及び上記バックシートの両方が上記の範囲内の強力を有するものを例示して説明したが、上記トップシートと上記バックシートとの何れか一方が上記の範囲内の強力を有していればよい。
　また、上記の第１発明の実施例では、上記両側縁部が上記トップシート及び上記バックシートの２枚のシートにより形成されているものを例示して説明したが、上記トップシート及び上記バックシートのいずれか一方とこれら以外の他のシートとの２枚のシートにより形成することもできる。即ち、本発明のパンツ型使い捨ておむつにおいて、上記両側縁部は、少なくとも上記トップシート及び／又は上記バックシートを含む２枚のシートにより形成することができる。この際、上記両側縁部を形成する上記トップシート及び上記バックシートのうち少なくとも何れか一方は、上述のおむつの縦方向に対する強力を満足する必要がある。また、この際の上記の接合固定された接合部８の接合強度は、１０００
〜３０００
ｍで
　【００２９】
　【００３０】
　【００３１】
　【００３２】
　【００３３】
　【００３４】
　【００３５】
　【００３６】
　【００３７】
　【００３８】
　【発明の効果】
　本発明のパンツ型使い捨ておむつは、パンツ型使い捨ておむつにおける接合部の引き剥がし（引き裂き）易さを向上せしめ、使い勝手をさらに向上させたものである。
【図面の簡単な説明】
　【図１】
　図１は、本発明（第１発明）のパンツ型使い捨ておむつの第１の実施例を示す斜視図である。
　【図２】
　図２は、図１に示すパンツ型使い捨ておむつの展開図である。
　【図３】
　図３は、図２に示す展開したパンツ型使い捨ておむつの分解斜視図である。
　【図４】
　図４は、図１に示すおむつの接合部８を示す拡大斜視図である。
　【図５】
　図５は、接合部８の接合強度の測定方法の概略を示す概略図である。
　【符号の説明】
　　１　　使い捨ておむつ
　　２　　トップシート
　　３　　バックシート
　　４　　吸収体
　　５　　吸収性本体
　　６　　腹側部
　　６ａ　腹側部の側縁部
　　６ｂ　腹側部の側縁部
　　７　　背側部
　　７ａ　背側部の側縁部
　　７ｂ　背側部の側縁部
　　８　　接合部
　１０　　ウエスト開口部
　１１　　弾性部材
　２０　　レッグ開口部
　２１　　弾性部材
　３０　　胴周囲部
　３１　　弾性部材
　４０　　排尿ポイント部
　４１　　弾性部材
　６０　　ファスニングテープ